(57)【要約】【課題】デザイン性及び使い勝手を損なわずに、使用者へのメンテナンス情報や注意喚起、アドバイス情報等を的確に提供することを可能にした加熱調理器を提供する。【解決手段】オーブンレンジ１は、制御手段２０が、電源オン時に、予め記憶されている通常の待機状態に表示される情報とは異なる注意喚起情報を、使用者からの指示を受け付けるまで表示手段６に表示させる。【選択図】図３
2010181044.tif 000002
【特許請求の範囲】
【請求項１】
被調理物を加熱調理する加熱源と、
使用者からの指示を受け付ける入力手段と、
各種情報を表示する表示手段と、
前記入力手段からの入力情報に基づいて前記加熱源の動作を制御する制御手段と、
加熱調理器の使用履歴情報を記憶する使用履歴記憶手段と、
加熱調理器使用時の通常の待機状態に表示される待機情報とは異なる注意喚起情報、調理アドバイス情報、メンテナンス情報のうち少なくとも１つの表示情報を記憶する表示情報記憶手段と、を有し、
前記制御手段は、
電源オン時に、前記使用履歴記憶手段に記憶される使用履歴情報に基づき前記表示情報記憶手段に記憶される表示情報を前記入力手段が使用者からの指示を受け付けるまで前記表示手段に表示させる
ことを特徴とする加熱調理器。
【請求項２】
外部から表示情報を入手する通信手段を備え、
前記制御手段は、
前記通信手段を介して入手した前記表示情報を前記表示情報記憶手段に更新記憶する
ことを特徴とする請求項１に記載の加熱調理器。
【請求項３】
前記使用履歴記憶手段が記憶する使用履歴情報が使用回数であり、
前記表示情報記憶手段が記憶する表示情報が注意喚起情報であり、
前記制御手段は、
前記使用履歴記憶手段に記憶される使用回数が所定の閾値回数未満のとき前記表示情報記憶手段に記憶される注意喚起情報を前記表示手段に表示させる
ことを特徴とする請求項１又は２に記載の加熱調理器。
【請求項４】
前記使用履歴記憶手段が記憶する使用履歴情報が前回使用時の使用情報であり、
前記表示情報記憶手段が記憶する表示情報が調理アドバイス情報であり、
前記制御手段は、
前記使用履歴記憶手段に記憶される前回使用時の使用情報に基づき前記表示情報記憶手段に記憶される調理アドバイス情報を前記表示手段に表示させる
ことを特徴とする請求項１又は２に記載の加熱調理器。
【請求項５】
前記使用履歴記憶手段が記憶する使用履歴情報が使用回数であり、
前記表示情報記憶手段が記憶する表示情報がメンテナンス情報であり、
前記制御手段は、
前記使用履歴記憶手段に記憶される使用回数が所定の数値に達したとき前記表示情報記憶手段に記憶されるメンテナンス情報を前記表示手段に表示させる
ことを特徴とする請求項１又は２に記載の加熱調理器。
【請求項６】
前記使用履歴記憶手段が記憶する使用履歴情報が使用時間であり、
前記表示情報記憶手段が記憶する表示情報がメンテナンス情報であり、
前記制御手段は、
前記使用履歴記憶手段に記憶される使用時間が所定の数値に達したとき前記表示情報記憶手段に記憶されるメンテナンス情報を前記表示手段に表示させる
ことを特徴とする請求項１又は２に記載の加熱調理器。
【請求項７】
前記制御手段は、
前記入力手段からの入力情報に基づいて、前記表示情報記憶手段に記憶される表示情報を前記表示手段に表示させない
ことを特徴とする請求項１〜６のいずれか一項に記載の加熱調理器。
【発明の詳細な説明】
【技術分野】
【０００１】
本発明は、表示装置を備えた加熱調理器に関し、特に表示する表示内容及び表示方法を工夫した加熱調理器に関するものである。
【背景技術】
【０００２】
従来から、表示装置及びオートパワーオフ機能を備えたオーブンレンジやＩＨクッキングヒーター等の加熱調理器が存在している（たとえば、特許文献１及び２参照）。特許文献１に記載の加熱調理器は、操作部及び表示装置を備え、加熱調理器の動作状態や、操作部により設定された調理時間等の各種設定情報を表示装置に表示するようにしたものである。また、特許文献２に記載の加熱調理器は、取扱説明書や注意書等の文書情報を調理器本体内部に記憶し、電源投入時や操作部のスイッチ操作時に表示装置に表示するようにしたものである。
【先行技術文献】
【特許文献】
【０００３】
【特許文献１】特開２００８−５７８７１号公報（実施例１等）
【特許文献２】実開昭５７−８４１０号公報（実用新案登録請求の範囲等）
【発明の概要】
【発明が解決しようとする課題】
【０００４】
従来の加熱調理器においては、調理器本体に取扱説明書や注意書等を同梱したり、調理器本体に注意ラベルを貼り付けたりして、使用上の注意等について、使用者に注意喚起を行なうようにしていた。しかしながら、調理器本体への注意表示については、いたずらに使用者の不安心理を煽る恐れがあるとともに、製品のデザイン性を損ない兼ねないということから、大きくかつ目立つ場所には表示されていなかった。また、取扱説明書等の記載についても、使用者が隅々まで目を通してから使用することは実際にはほとんどなく、十分な注意喚起が図れていなかった。
【０００５】
特許文献１に記載されているような加熱調理器は、様々な設定情報を表示装置に表示することを可能にしたものである。このような加熱調理器は、様々な設定情報を表示できるものの、加熱調理器の電源オン時には、表示部に起動画面として商品名等が表示されるだけであった。加えて、加熱調理器の電源オン時に、起動画面を表示せずに、すぐに待機状態の表示を行なうようにした加熱調理器もあった。このような加熱調理器では、電源オン時、表示装置に何ら有用な情報を表示せず、使用者に有用な情報を提供できていないという課題があった。
【０００６】
特許文献２に記載されている加熱調理器は、取扱説明書や注意書等の文書情報を電源オン時等に順次読み出して表示することを可能にしたものである。このような加熱調理器は、紛失しがちな取扱説明書の情報を参照できるという点では優れているが、一口に取扱説明書と言っても膨大な情報量があり、毎回電源オンする度に、取扱説明書の内容を順次表示するのでは、使用者が必要な情報を得るまでには時間が多くかかってしまうという課題があった。また、使用者が使用方法を習得した後でも、電源オン時に毎回、取扱説明書の内容を表示するようになっており、このこと自体が加熱調理器をスピーディーに使用する上での妨げとなっていた。
【０００７】
さらに、いずれの加熱調理器においても、加熱調理器を長期間使用した場合に、使用者に提供した方がよいメンテナンス等の情報を的確に提供できていないという課題もあった。この種の加熱調理器では、使用に伴って、加熱室内に食品のカスや汁、あるいは油等の汚れが付着していくことになる。したがって、加熱室内の清掃を行わないまま、使用を継続すると、付着した食品カス等が加熱により炭化し、発煙やスパーク等に至る恐れがある。そのため、使用者にメンテナンス等の情報を的確に提供できるようにすることが、使い勝手を向上させるだけでなく、安全性を向上することにもなる。
【０００８】
本発明は、以上のような課題を解決するためになされたもので、デザイン性及び使い勝手を損なわずに、使用者へのメンテナンス情報や注意喚起、アドバイス情報等を的確に提供することを可能にした加熱調理器を提供することを目的としている。
【課題を解決するための手段】
【０００９】
本発明に係る加熱調理器は、被調理物を加熱調理する加熱源と、使用者からの指示を受け付ける入力手段と、各種情報を表示する表示手段と、前記入力手段からの入力情報に基づいて前記加熱源の動作を制御する制御手段と、加熱調理器の使用履歴情報を記憶する使用履歴記憶手段と、加熱調理器使用時の通常の待機状態に表示される待機情報とは異なる注意喚起情報、調理アドバイス情報、メンテナンス情報のうち少なくとも１つの表示情報を記憶する表示情報記憶手段とを有し、前記制御手段は、電源オン時に、前記使用履歴記憶手段に記憶される使用履歴情報に基づき前記表示情報記憶手段に記憶される表示情報を前記入力手段が使用者からの指示を受け付けるまで前記表示手段に表示させることを特徴とする。
【発明の効果】
【００１０】
本発明に係る加熱調理器によれば、デザイン性及び使い勝手を損なわずに、使用者へのメンテナンス情報や注意喚起、アドバイス情報等を的確に提供することができる。
【図面の簡単な説明】
【００１１】
【図１】実施の形態１に係る加熱調理器の一例であるオーブンレンジの外観構成を示す斜視図である。
【図２】オーブンレンジの制御回路構成を示す制御回路図である。
【図３】オーブンレンジの制御処理の流れを示すフローチャートである。
【図４】実施の形態２に係る加熱調理器の一例であるオーブンレンジの制御処理の流れを示すフローチャートである。
【図５】実施の形態３に係る加熱調理器の一例であるオーブンレンジの制御処理の流れを示すフローチャートである。
【図６】実施の形態４に係る加熱調理器の一例であるオーブンレンジの制御処理の流れを示すフローチャートである。
【発明を実施するための形態】
【００１２】
以下、本発明の実施の形態を図面に基づいて説明する。
実施の形態１．
図１は、本発明の実施の形態１に係る加熱調理器の一例であるオーブンレンジ１の外観構成を示す斜視図である。図２は、オーブンレンジ１の制御回路構成を示す制御回路図である。図３は、オーブンレンジ１の制御処理の流れを示すフローチャートである。図１〜図３に基づいて、加熱調理器の一例であるオーブンレンジ１の構成及び制御動作について説明する。なお、図１を含め、以下の図面では各構成部材の大きさの関係が実際のものとは異なる場合がある。
【００１３】
図１に示すように、オーブンレンジ１の内部には、被調理物を収納するためのほぼ箱状の加熱室２が設けられている。この加熱室２は、前面側（正面側）に開口部を有している。オーブンレンジ１の前面側には、ヒンジ部によって開閉自在に取り付けられたドア３が設けられている。このドア３は、閉塞時に加熱室２の前面壁を構成し、加熱調理時に加熱室２の開口部を閉塞するようになっている。また、オーブンレンジ１の前面側上部には、操作パネル４が設けられている。この操作パネル４には、加熱室２内に収納した被調理物の加熱条件を設定する入力手段５及び各種情報を表示する表示手段６が配置されている。
【００１４】
図２に基づいて、オーブンレンジ１の電気的な制御回路構成について説明する。
オーブンレンジ１は、図２に示すように、商用電源７、電流ヒューズ８、ドアスイッチ９、モニタースイッチ１０、ヒーター１１、高周波発生源１２、冷却ファンモーター１３、ランプ１４、リレー１５、リレー１６、メインリレー１７、リレー１８、電源回路１９、及び、制御手段２０を有し、これらでオーブンレンジ１の制御回路を構成している。
【００１５】
商用電源７は、オーブンレンジ１（詳しくは、後述する電源回路１９）に電源を供給するものである。電流ヒューズ８は、大電流から電気回路を保護するものである。ドアスイッチ９は、ドア３の開閉に連動して動作するスイッチであり、ドア３の閉成時に閉側接点がオンし、ドア３の開成時に開側接点がオンするようになっている。モニタースイッチ１０は、前記ドアスイッチ９の開接点がオンしている時には閉成し、前記ドアスイッチ９の閉接点がオンしている時には開成する。また、モニタースイッチ１０は、ドアスイッチ９がドア３の開成中に閉接点から離れない溶着故障が発生したときに電流ヒューズ８を溶断させるために機能するものである。
【００１６】
ヒーター１１は、加熱室２の天井部や底面に設けられており、被調理物を加熱する加熱源となるものである。高周波発生源１２は、マグネトロン等で構成されており、被調理物を加熱する加熱源となるものである。冷却ファンモーター１３は、高周波発生源１２の近傍に設けられ、高周波発生源１２を冷却するものである。ランプ１４は、調理中に加熱室２内を照明するものである。リレー１５は、制御手段２０により制御され、ヒーター１１を商用電源７へ接続するものである。リレー１６は、制御手段２０により制御され、高周波発生源１２及び冷却ファンモーター１３を商用電源７へ接続するものである。
【００１７】
メインリレー１７は、ヒーター１１、高周波発生源１２及び冷却ファンモーター１３、ランプ１４からなる負荷回路と、商用電源７と、の間に設けられており、制御手段２０によってオン／オフが制御されるものである。リレー１８は、ドアスイッチ９の開接点に並列に接続された電力開閉手段をなすものであり、制御手段２０によってオン／オフが制御されるものである。電源回路１９は、制御手段２０の電源回路であり、ドアスイッチ９またはリレー１８を介して商用電源７と接続するとともに、直流電圧を発生するものである。
【００１８】
制御手段２０は、使用者からの指示に基づいて加熱源（ヒーター１１及び高周波発生源１２）の動作を制御する機能を有しており、情報処理装置であるマイコン２１と、このマイコン２１にバスで接続されたリレー駆動回路２２、オートパワーオフ手段２３、入力手段５、表示手段６、ドア開閉検知手段２４、センサー回路２５、リセット手段２６、周波数判別手段２７、不揮発性メモリー２８、及び、通信手段２９、を有している。マイコン２１は、オーブンレンジ１の動作を統括制御するＣＰＵ（中央処理装置）と、ＲＯＭ（リード・オンリ・メモリー）と、ＲＡＭ（ランダム・アクセス・メモリー）とを主要部とした回路で構成されている。また、マイコン２１は、調理時間等の各種時間を計時するタイマー手段２１ａを備えている。
【００１９】
リレー駆動回路２２は、リレー１５、リレー１６、及び、メインリレー１７を駆動制御する機能を有している。オートパワーオフ手段２３は、リレー１８のオン／オフを制御する機能を有している。入力手段５は、操作パネル４に設けられており、使用者からの各種指示を受け付けるものである。つまり、入力手段５は、使用者が加熱源とこの加熱源の動作内容を設定するものである。表示手段６は、操作パネル４に設けられており、使用者に各種の案内表示や状態表示を行なうとともに、入力手段５により入力された設定情報を表示するものである。ドア開閉検知手段２４は、ドア３の開閉状態を検知する機能を有している。
【００２０】
センサー回路２５は、たとえば加熱室２内の温度を検出する温度センサーや、被調理物の温度を検出する赤外線センサー等で構成されている。リセット手段２６は、電源回路１９の直流電圧が立ち上がった時を検出してマイコン２１にリセット信号を出力し、マイコン２１を初期化する機能を有している。周波数判別手段２７は、電源回路１９に供給された電源から、商用電源７の周波数が５０Ｈｚであるか６０Ｈｚであるかを判別する機能を有している。不揮発性メモリー２８は、マイコン２１の制御に使用する各種データや使用状況データ（たとえば調理モードや、使用回数ｎ、使用時間Ｔ、エラー情報等）を記憶する記憶手段として機能するものであり、オーブンレンジ１の使用履歴情報（使用回数ｎ、使用時間Ｔ）を記憶する使用履歴記憶手段を兼ねる。通信手段２９は、電話回線やインターネット回線等を利用して必要な情報を更新入手することを可能にする機能を有している。
【００２１】
図３に基づいて、オーブンレンジ１の動作、つまりオーブンレンジ１の制御処理の流れについて説明する。使用者が、電源が切れた状態、すなわちドアスイッチ９が閉接点に接続し、リレー１８が開成している状態でオーブンレンジ１を使用するべくドア３を開成すると、ドアスイッチ９が開接点に接続するように切り替わり、商用電源７から電源回路１９に電力が供給され、電源回路１９から制御手段２０に電力が供給される。リセット手段２６は、この電源回路１９の電圧の立ち上がりを検出し、マイコン２１にリセット信号を与える。また、周波数判別手段２７は、商用電源７から電源回路１９に供給された電源から、商用電源７の周波数が５０Ｈｚであるか６０Ｈｚであるかを判別するための周波数判別信号をマイコン２１に与える。
【００２２】
受け取った周波数判別信号をもとに、マイコン２１は、調理時間等の時間カウントの基準を作成したり、瞬間的な停電（いわゆる瞬時停電）を検出して、リレー駆動回路２２を制御したりする。このリセット信号を受けて制御手段２０は、レジスタや動作、ＲＡＭのリセット（初期化）を行なう（ステップＳ１）。初期化が終了すると、マイコン２１は、オートパワーオフ手段２３によりリレー１８を閉成するとともに、タイマー手段２１ａにカウント時間ｔ１をセットする（ステップＳ２）。この実施の形態では、カウント時間ｔ１を５分としているものとする。
【００２３】
マイコン２１は、不揮発性メモリー２８（使用履歴記憶手段）に記憶されている使用回数情報ｎ（使用履歴情報である使用回数）を読み出し、この使用回数情報ｎと予め設定されている閾値回数Ｘ（たとえば、１００回）と比較する（ステップＳ３）。使用回数情報ｎが閾値回数Ｘ以上の場合には（ステップＳ３；Ｙ）、マイコン２１は、表示手段６に通電を開始し、０表示（デフォルト表示）を点灯させる（ステップＳ４）。一方、使用回数情報ｎが閾値回数Ｘより小さい場合には（ステップＳ３；Ｎ）、マイコン２１は、表示手段６に通電を開始し、予め、不揮発性メモリー２８（表示情報記憶手段）に記憶された表示情報である情報Ｉを表示させる（ステップＳ５）。なお、不揮発性メモリー２８は、マイコン２１内に構成されたＲＯＭやフラッシュメモリー等を用いて構成してもよい。
【００２４】
ステップＳ５で表示手段６に表示された情報Ｉは、オーブンレンジ１を使用するにあたっての注意事項等の注意喚起情報である。このような情報Ｉを表示すれば、オーブンレンジ１を使用する前に必ず使用者の目に留まるため、使用者に対して確実に注意喚起を行うことができるようになる。表示する情報Ｉは、具体的には、たとえば、「調理以外の目的に使用しないでください。」や、「卵は電子レンジ加熱しないでください。」、「加熱室内やドア内側に食品カス・油・煮汁をつけたまま使わないでください。」といった具体的な注意文や、様々な注意文等が記載されたホームページのＵＲＬ情報等である。
【００２５】
なお、ステップＳ３で示した閾値回数Ｘを設けずに、電源オン時に必ず情報Ｉを表示するようにしてもよい。この場合、オーブンレンジ１の使用の都度、表示手段６に表示した注意文で使用者に注意喚起できるため、オーブンレンジ１を長期間使用した場合であっても、継続して注意喚起を実行できるというメリットがある。また、情報Ｉには、注意文とともに分かりやすいイラストを含めてもよい。さらに、情報Ｉを表示するとともに、表示内容を音声により発報するようにしてもよい。
【００２６】
ステップＳ４、及び、ステップＳ５のいずれの場合も、タイマーｔ１が設定されると、マイコン２１のタイマー手段２１ａは、タイマーｔ１の計時動作、すなわち減算動作を開始する（ステップＳ６）。そして、マイコン２１は、入力手段５によりキー入力操作が行われたかどうかを判断する（ステップＳ７）。キー入力操作が行われたと判断すると（ステップＳ７；有）、マイコン２１は、タイマーをリセットする（ステップＳ８）。タイマーをリセットした後、マイコン２１は、ドア開閉検知手段２４からの信号によりドア３が閉じられているかどうかを判断する（ステップＳ９）。
【００２７】
マイコン２１は、ドア３が開いていると判断した場合には（ステップＳ９；Ｎ（開））、ステップＳ６に移行し、改めてタイマーの計時を開始する。マイコン２１は、ドア３が閉じていると判断した場合には（ステップＳ９；Ｙ（閉））、入力されたキーが調理開始キーであるかどうかを判定する（ステップＳ１０）。マイコン２１は、入力されたキーが調理開始キーでないと判定した場合には（ステップＳ１０；Ｎ）、ステップＳ６に移行し、改めてタイマーの計時を開始する。
【００２８】
マイコン２１は、入力されたキーが調理開始キーであると判定した場合には（ステップＳ１０；Ｙ）、加熱動作を開始する（ステップＳ１１）。この加熱動作は、まず、リレー駆動回路２２により、メインリレー１７を駆動制御し、ランプ１４を点灯させ、加熱室２内を照らすとともに、リレー１５またはリレー１６を駆動制御して加熱源であるヒーター１１または高周波発生源１２を、使用者が入力手段５により設定した加熱制御に応じて動作させることにより実行される。
【００２９】
加熱動作を開始すると、マイコン２１は、ドア開閉検知手段２４からの信号によりドア３が開かれたかどうかを判断する（ステップＳ１２）。また、マイコン２１は、入力手段５から加熱調理中断のための取消キーが操作されたかどうかを判定する（ステップＳ１３）。ステップＳ１２においてドアが開成されていた場合（ステップＳ１２；Ｙ（開））、また、ステップＳ１３にて取り消しキーが操作されたと判定された場合（ステップＳ１３；Ｙ）には、マイコン２１は、リレー駆動回路２２を制御し、メインリレー１７、リレー１５またはリレー１６を開放して加熱源の動作を中断する（ステップＳ１４）。
【００３０】
その後、マイコン２１は、実行した調理情報（たとえば、レンジやオーブン等の加熱モードや、加熱時間、設定温度等の各種情報や使用回数ｎ、使用時間Ｔ、エラー情報等）を不揮発性メモリー２８に更新記憶させる（ステップＳ１５）。それから、マイコン２１は、タイマーをリセットする（ステップＳ１６）。そして、ステップＳ６に移行し、タイマーの計時動作を開始する。
【００３１】
ステップＳ１２においてドアが開成されていない場合（ステップＳ１２；Ｎ（閉））、また、ステップＳ１３にて取り消しキーが操作されていないと判定された場合（ステップＳ１３；Ｎ）には、マイコン２１は、調理が終了したかどうかを判定する（ステップＳ１６）。すなわち、マイコン２１は、設定された加熱時間が経過したり、センサー回路２５の入力が所定の値に到達したりすること等によって調理終了判断を行なう。調理が終了していない場合（ステップＳ１６；Ｎ）には、マイコン２１は、ステップＳ１２に戻って加熱動作を継続する。
【００３２】
一方、調理が終了したと判断した場合（ステップＳ１６；Ｙ）には、マイコン２１は、リレー駆動回路２２を制御し、メインリレー１７、リレー１５またはリレー１６を開放して加熱源の動作を終了するとともに、表示手段６及び報知手段（図示せず）等で調理が終了した旨を使用者に報知する（ステップＳ１７）。その後、マイコン２１は、ステップＳ１５にて実行した調理情報（たとえば、レンジやオーブン等の加熱モード、加熱時間、設定温度等の各種情報や使用回数ｎ、使用時間Ｔ、エラー情報等）を不揮発性メモリー２８に更新記憶後、ステップＳ１６にてタイマーをリセットし、ステップＳ６に移行しタイマーの計時動作を開始させる。
【００３３】
以上のように、ステップＳ７にてキー入力があった場合は、マイコン２１は、ステップＳ９でドアの開閉状態を、ステップＳ１０で調理開始キーの操作の有無を判別し、ステップＳ１１で調理動作を開始すると、ステップＳ１２からステップＳ１６を繰り返して加熱動作を実行する。以下に、ステップＳ７にてキー入力がなかった場合におけるマイコン２１の処理の流れについて説明する。
【００３４】
キー入力操作が行なわれなかったと判断すると（ステップＳ７；無）、マイコン２１は、タイマーの計時動作を継続し、タイマー手段２１ａにセットされたカウント時間をカウントし終えたか否かを判定する（ステップＳ１８）。カウントし終えていないと判定した場合（ステップＳ１８；Ｎ）、マイコン２１は、キー入力操作がないかどうかの判定を繰り返す（ステップＳ７）。セットされたカウント時間をカウントし終えていると判定した場合（ステップＳ１８；Ｙ）、マイコン２１は、ドア開閉検知手段２４からの信号により、ドア３の開閉状態を検出する（ステップＳ１９）。
【００３５】
ドア３が閉成されている場合（ステップＳ１９；Ｙ（閉））、マイコン２１は、表示手段６への通電を停止し、表示を消灯させるとともに、オートパワーオフ手段２３によりリレー１８を開放させる（ステップＳ２０）。このとき、ドア３は閉成されているため、ドアスイッチ９は閉接点と接続されており、電源回路１９への商用電源７からの電力供給は停止し、電源がオフされることになる。
【００３６】
一方、ドア３が開成されている場合（ステップＳ１９；Ｎ（開））、マイコン２１は、表示手段６への通電を停止し、表示を消灯させるとともに、オートパワーオフ手段２３によりリレー１８を開放させる（ステップＳ２１）。そして、マイコン２１は、ドア３が閉成されるまで待機する（ステップＳ２２）。このとき、リレー１８は開放されているが、ドアスイッチ９は開接点と接続されているため、電源回路１９へは、商用電源７から継続して電力が供給されている。ドア開閉検知手段２４によりドア３の閉成が検出されると（ステップＳ２２；Ｙ（閉））、商用電源７から電源回路１９への電力供給が停止される。
【００３７】
しかしながら、電源回路１９の容量を大きくし、マイコン２１がオートパワーオフ手段２３を駆動してリレー１８を再度オンさせ、電力供給を再開させるまでの時間よりも、電源回路１９の電圧が低下し、リセット手段２６がマイコン２１にリセット信号を出力するまでの時間を十分に長くとるようにすることで、制御手段２０への電力は、１秒程度の間動作できる程度、電源回路１９から電力を供給することが可能になる。この間に、マイコン２１は、表示手段６への通電を再開し、表示を点灯させるとともに、オートパワーオフ手段２３を駆動し、リレー１８を再度オンさせる（ステップＳ２３）。そして、マイコン２１は、ステップＳ２１にてタイマー手段２１ａをリセットし、ステップＳ６に移行し、タイマー計時を開始し、調理待機状態に移行する。
【００３８】
以上のように、実施の形態１に係るオーブンレンジ１では、予め記憶された注意喚起情報である表示情報（上述した情報Ｉ）を、予め設定された条件に従って（起動回数が所定回数以上になるまで）、電源オンした時に、入力手段がキー等の操作を受け付けるまで表示するように構成したので、使用者に十分に注意喚起を行なうことができる。また、表示情報を表示手段６に表示させるようにしたので、オーブンレンジ１の外観に影響を与えることがなく、デザイン性を損ねることもない。
【００３９】
なお、実施の形態１では、注意文等の情報を情報Ｉとして、単一の表示情報として説明したが、これに限定するものではなく、複数の表示情報で構成してもよい。たとえば、情報Ｉを「調理以外の目的に使用しないでください。」、情報ＩＩを「卵は電子レンジ加熱しないでください。」、情報ＩＩＩを「加熱室内やドア内側に食品カス・油・煮汁をつけたまま使わないでください。」、情報ＩＶを「飲み物等の突沸現象にご注意ください。」、情報Ｖを「庫内・ドア内側等はこまめに清掃し、汚れたままにしないでください。」といったような複数の情報で構成し、初回の起動時は、情報Ｉ、２回目は情報ＩＩ、以降情報ＩＩＩ→情報ＩＶ→情報Ｖ→情報Ｉ→・・・という具合に、予め設定した条件になるまで順番に表示するようにしてもよい。
【００４０】
実施の形態２.
図４は、本発明の実施の形態２に係る加熱調理器の一例であるオーブンレンジ１の制御処理の流れを示すフローチャートである。図４に基づいて、実施の形態２に係るオーブンレンジ１の動作、つまりオーブンレンジ１の制御処理の流れについて説明する。この実施の形態２に係るオーブンレンジ１は、使用履歴記憶手段である不揮発性メモリーに記憶された使用履歴情報である前回の使用状況（使用情報）に応じて、調理方法のアドバイス等の情報（調理アドバイス情報）を表示するものである。なお、実施の形態２では、実施の形態１と同一部分には同一符号を付し、実施の形態１との相違点を中心に説明するものとする。図４において、表示手段に表示するステップ以降（ステップＳ６以降）は、実施の形態１の説明に用いた図３と同様である。
【００４１】
電源が切れた状態から使用者がドア３を開成すると、商用電源７から電源回路１９に電力が供給され、制御手段２０に電力が供給され、リセット手段２６はマイコン２１にリセット信号を与え、このリセット信号を受けて制御手段２０（マイコン２１）は、レジスタや動作、ＲＡＭのリセットを行なう（ステップＳ１）。初期化が終了すると、マイコン２１は、オートパワーオフ手段２３によりリレー１８を閉成するとともに、タイマー手段２１ａにカウント時間ｔ１をセットする（ステップＳ２）。この実施の形態では、カウント時間ｔ１を１分としているものとする。
【００４２】
マイコン２１は、不揮発性メモリー２８（使用履歴記憶手段）に記憶されている使用回数情報ｎ（使用履歴情報である使用回数情報）を読み出し、この使用回数情報ｎにより既に使用した情報があるかどうかを判断する（ステップＳ３１）。マイコン２１は、既に使用した情報がなく、初めての起動であると判断した場合には（ステップＳ３１；Ｎ）、表示手段６に通電を開始し、０表示（デフォルト表示）を点灯させる（ステップＳ４）。なお、ここで、実施の形態１と同様に、予め記憶した注意情報等を表示するようにしてもよい。
【００４３】
一方、使用回数情報ｎが１以上の場合、すなわち前回調理を行った履歴がある場合は（ステップＳ３１；Ｙ）、マイコン２１は、不揮発性メモリー２８（使用履歴記憶手段）に記憶された前回の調理情報（使用履歴情報である前回使用時の使用情報）を読み出す（ステップＳ３２）。次いで、マイコン２１は、記憶されていた前回の調理情報（使用履歴情報）を元に、予め、不揮発性メモリー２８（表示情報記憶手段）に記憶された調理アドバイス情報を表示する（ステップＳ３３）。すなわち、マイコン２１は、不揮発性メモリー２８に記憶されていた前回の調理情報が、「オーブン２５０℃設定、２０分調理」であった場合、予めオーブン調理用として用意したアドバイス情報を表示する。なお、不揮発性メモリー２８は、マイコン２１内に構成されたＲＯＭやフラッシュメモリー等を用いて構成してもよい。
【００４４】
予めオーブン調理用として用意した調理アドバイス情報としては、たとえば、情報Ａ「焼きムラが気なる場合は、調理の途中（約７割の時間が経過した時点）で、入れ替えてください。」や、情報Ｂ「オーブン調理後は、冷却ファンが動作します。電源プラグを抜かないでください。（故障の原因）」、情報Ｃ「底面プレートに食品の汁等が付着したまま、オーブン加熱を行うと焦げ付きますので、こまめに掃除してください。焦げ付いてしまった場合は、クレンザーでこすり落としてください。」というような情報がある。ステップＳ４の場合と、ステップＳ３３の場合と、で表示手段６に表示した内容は異なるが、マイコン２１のタイマー手段２１ａはタイマーｔ１の計時動作、すなわち減算動作を開始する（図３に示すステップＳ６）。それ以降の制御処理の流れは、実施の形態１と同様である。
【００４５】
以上のように、実施の形態２に係るオーブンレンジ１では、予め記憶された調理方法のアドバイスなどの情報（調理アドバイス情報）を、不揮発性メモリー２８（使用履歴記憶手段）に記憶した前回の調理情報（使用履歴情報）に基づいて、電源がオンした時に、入力手段がキー等の操作を受け付けるまで表示するように構成したので、使用者にアドバイス情報を的確に与えることができる。なお、実施の形態２では、電源がオフするまでのタイマー時間を１分としたが、調理終了後電源がすぐに切れるようにすれば、調理した食品を使用者が取り出す際に、アドバイス情報を表示手段６に表示することができることになる。
【００４６】
実施の形態３.
図５は、本発明の実施の形態３に係る加熱調理器の一例であるオーブンレンジ１の制御処理の流れを示すフローチャートである。図５に基づいて、実施の形態３に係るオーブンレンジ１の動作、つまりオーブンレンジ１の制御処理の流れについて説明する。この実施の形態３に係るオーブンレンジ１は、起動回数（使用回数）または通電時間（使用時間）が、予め設定された条件に達した時に、メンテナンス等の情報を表示するものである。なお、実施の形態３では、実施の形態１及び実施の形態２と同一部分には同一符号を付し、実施の形態１及び実施の形態２との相違点を中心に説明するものとする。図５において、表示手段に表示するステップ以降（ステップＳ６以降）は、実施の形態１の説明に用いた図３と同様である。
【００４７】
電源が切れた状態から使用者がドア３を開成すると、商用電源７から電源回路１９に電力が供給され、制御手段２０に電力が供給され、リセット手段２６はマイコン２１にリセット信号を与え、このリセット信号を受けて制御手段２０（マイコン２１）は、レジスタや動作、ＲＡＭのリセットを行なう（ステップＳ１）。初期化が終了すると、マイコン２１は、オートパワーオフ手段２３によりリレー１８を閉成するとともに、タイマー手段２１ａにカウント時間ｔ１をセットする（ステップＳ２）。この実施の形態では、カウント時間ｔ１を５分としているものとする。
【００４８】
マイコン２１は、不揮発性メモリー２８（使用履歴記憶手段）に記憶されている使用回数情報ｎ（使用履歴情報）、及び、メンテナンス情報表示閾値Ｘ（たとえば、１００回）を読み出し、ｎ＝Ｘ、すなわち使用回数が予め設定したメンテナンス情報表示回数に達したか否かを判断する（ステップＳ４１）。使用回数がメンテナンス情報表示閾値Ｘに達していない場合には（ステップＳ４１；Ｎ）、マイコン２１は、不揮発性メモリー２８に記憶されている使用時間情報Ｔ（使用履歴情報）、及び、メンテナンス情報表示閾値Ｙ（たとえば、３６０分）を読み出し、Ｔ≧Ｙ、すなわち使用時間が予め設定したメンテナンス情報表示時間に達したか否かを判断する（ステップＳ４２）。
【００４９】
使用時間情報Ｔが情報表示閾値Ｙに達していないと判断した場合（ステップＳ４２；Ｎ）、マイコン２１は、表示手段６に通電を開始し、０表示（デフォルト表示）を点灯させる（ステップＳ４）。なお、ここで、実施の形態１と同様に、予め記憶した注意情報等を表示するようにしてもよい。
【００５０】
一方、使用回数情報ｎがメンテナンス情報表示閾値Ｘであった場合には（ステップＳ４１；Ｙ）、マイコン２１は、不揮発性メモリー２８（表示情報記憶手段）に記憶された、次回のメンテナンス情報を表示するために、メンテナンス情報表示閾値Ｘの更新を行なう（ステップＳ４３）。メンテナンス情報表示閾値Ｘの更新は、たとえば、１０回毎にメンテナンス表示を行なう場合、Ｘ＝Ｘ＋１０＝２０とし、２０を新たなメンテナンス情報表示閾値Ｘとして更新するとよい。
【００５１】
また、使用時間情報Ｔがメンテナンス情報表示閾値Ｙ以上であった場合にも（ステップＳ４２；Ｙ）、マイコン２１は、不揮発性メモリー２８に記憶されたメンテナンス情報表示閾値Ｙの更新を行なう（ステップＳ４４）。メンテナンス情報表示閾値Ｙの更新は、たとえば、３６０分動作する毎にメンテナンス表示を行なう場合、Ｙ＝Ｙ＋３６０＝７２０とし、７２０を新たなメンテナンス情報表示閾値Ｙとして更新するとよい。なお、ここでは、記憶する時間単位を分としたが、当然ながら、秒単位、時間単位でもよく、適宜設定すればよい。
【００５２】
ステップＳ４３、または、ステップＳ４４で、メンテナンス情報表示閾値を更新記憶後、マイコン２１は、メンテナンス情報を不揮発性メモリー２８から読み出し、メンテナンス情報を表示手段６に表示する（ステップＳ４５）。メンテナンス情報としては、たとえば、情報ａ「加熱室内や、ドアの内側等を清掃し、加熱室内やドア内側に付着した食品カス・油・煮汁等を取り除いてください。食品カス等が付着したまま加熱を継続すると炭化し、発煙やスパークする場合があります。」というような情報がある。ステップＳ４の場合と、ステップＳ４５の場合と、で表示手段６に表示した内容は異なるが、マイコン２１のタイマー手段２１ａはタイマーｔ１の計時動作、すなわち減算動作を開始する（図３に示すステップＳ６）。それ以降の制御処理の流れは、実施の形態１と同様である。
【００５３】
以上のように、実施の形態３に係るオーブンレンジ１では、予め記憶されたメンテナンス情報を、不揮発性メモリー２８（使用履歴記憶手段）に記憶した使用履歴情報（使用回数情報、使用時間情報）に基づいて、電源がオンした時に、入力手段がキー等の操作を受け付けるまで表示するように構成したので、使用者に定期的にメンテナンス情報を的確に与えることができる。
【００５４】
実施の形態４.
図６は、本発明の実施の形態４に係る加熱調理器の一例であるオーブンレンジ１の制御処理の流れを示すフローチャートである。図６に基づいて、実施の形態４に係るオーブンレンジ１の動作、つまりオーブンレンジ１の制御処理の流れについて説明する。この実施の形態４に係るオーブンレンジ１は、電源オン時に表示する表示情報を通信手段を用いて自動更新し、この情報を電源オン時に表示手段に表示するものである。なお、実施の形態４では、実施の形態１〜実施の形態３と同一部分には同一符号を付し、実施の形態１〜実施の形態３との相違点を中心に説明するものとする。図６において、ステップＳ１からステップＳ１８までは、実施の形態１の説明に用いた図３と同様である。
【００５５】
ステップＳ７でキー入力操作が行なわれなかったと判断すると（ステップＳ７；無）、マイコン２１は、タイマーの計時動作を継続し、タイマー手段２１ａにセットされたカウント時間をカウントし終えたか否かを判定する（ステップＳ１８）。カウントし終えていないと判定した場合（ステップＳ１８；Ｎ）、マイコン２１は、キー入力操作がないかどうかの判定を繰り返す（ステップＳ７）。セットされたカウント時間をカウントし終えていると判定した場合（ステップＳ１８；Ｙ）、マイコン２１は、通信手段２９を起動する（ステップＳ５１）。そして、マイコン２１は、通信手段２９を通じて、予め設定されたサーバーに接続し、表示する情報に更新がないかどうかを確認する（ステップＳ５２）。
【００５６】
表示する情報の更新としては、たとえば、新たに表示する情報として、「起動時の表示を行わないように設定するには、取消キーを３秒間押してください。」というような情報の追加があったどうかで判断する。情報の更新があった場合（ステップＳ５２；Ｙ（有））、マイコン２１は、更新された情報をダウンロードする（ステップＳ５３）。マイコン２１は、ダウンロードした情報を不揮発性メモリー２８に記憶させる（ステップＳ５４）。更新された情報の不揮発性メモリー２８への記憶が完了後、マイコン２１は、ドア３が閉成されているか否かを確認する（ステップＳ５５）。一方、更新情報がなかった場合も（ステップＳ５２；Ｎ（無））、マイコン２１は、ドア３が閉成されているか否かを確認する（ステップＳ５５）。
【００５７】
ドア３が閉成されている場合（ステップＳ５５；Ｙ（閉））、マイコン２１は、表示手段６への通電を停止して表示を消灯するとともに、オートパワーオフ手段２３を駆動してリレー１８を開放させる（ステップＳ５６）。このとき、ドア３は閉成されているため、ドアスイッチ９は閉接点と接続されており、電源回路１９への商用電源７からの電力供給は停止し、電源がオフされることになる。
【００５８】
一方、ドア３が開成されている場合（ステップＳ５５；Ｎ（開））、マイコン２１は、表示手段６への通電を停止して表示を消灯するとともに、オートパワーオフ手段２３を駆動してリレー１８を開放させる（ステップＳ５７）。そして、マイコン２１は、ドア３が閉成されるまで待機する（ステップＳ５８）。このとき、リレー１８は開放されているが、ドアスイッチ９は開接点と接続されているため、電源回路１９へは、商用電源７から継続して電力が供給されている。ドア開閉検知手段２４によりドア３の閉成が検出されると（ステップＳ５８；Ｙ（閉））、商用電源７から電源回路１９への電力供給が停止される。
【００５９】
しかしながら、電源回路１９の容量を大きくし、マイコン２１がオートパワーオフ手段２３を駆動してリレー１８を再度オンさせ、電力供給を再開させるまでの時間よりも、電源回路１９の電圧が低下し、リセット手段２６がマイコン２１にリセット信号を出力するまでの時間を十分に長くとるようにすることで、制御手段２０への電力は、１秒程度の間動作できる程度、電源回路１９から電力を供給することが可能になる。この間に、マイコン２１は、表示手段６への通電を再開し、表示を点灯させるとともに、オートパワーオフ手段２３を駆動し、リレー１８を再度オンさせる（ステップＳ５９）。そして、マイコン２１は、ステップＳ２１にてタイマー手段２１ａをリセットし、ステップＳ６に移行し、タイマー計時を開始し、調理待機状態に移行する。
【００６０】
そして、電源が一度オフした後、使用者がドア３を開け、再度ステップＳ１から電源をオンした後には、マイコン２１は、ステップＳ５において、不揮発性メモリー２８から更新された情報を読み出して表示手段６に表示する。すなわち、マイコン２１は、たとえば「起動時の表示を行なわないように設定するには、取消キーを３秒間押してください。」というような内容の情報を表示する。
【００６１】
以上のように、実施の形態４に係るオーブンレンジ１では、通信手段２９を介して、注意情報等の表示情報の更新を可能としたので、製品発売後に発見された新たなアドバイス情報や注意事項等を、使用者に容易に的確に伝えることができる。
【００６２】
また、更新された情報として例に挙げた「特殊操作を行なうことで、起動時に注意表示を行なわないように設定変更できる」という内容は、実際に組み合わせてもよい。すなわち、予め不揮発性メモリー２８に電源オン時に情報を表示するか否かの判断情報を記憶しておき、特殊操作を受け付けた場合に、この判断情報を書き替えるように構成してもよい。このようにしておけば、使用者がアドバイス情報等を熟知したため、この機能を不要と判断した場合に、表示しないように構成できるので、使用の度に余計な操作が不要となり、使い勝手をさらに向上させることができる。なお、情報表示を行なわないように設定されている場合であっても、更新された新たな表示情報は自動的に表示するように構成すれば、必要な情報をもれなく伝えることができる。
【００６３】
以上、本発明の特徴事項を実施の形態を分けて説明したが、いずれの実施の形態に係るオーブンレンジ１であっても、デザイン性及び使い勝手を損なわずに、使用者へのメンテナンス情報や注意喚起、アドバイス情報等を的確に提供することができることになる。なお、各実施の形態では、加熱調理器の一例をオーブンレンジ１として説明したが、加熱調理器がＩＨクッキングヒーターであってもよい。また、本発明の特徴事項を実施の形態を分けて説明したが、各実施の形態の特徴事項を組み合わせるようにしてもよい。
【符号の説明】
【００６４】
１  オーブンレンジ、２  加熱室、３  ドア、４  操作パネル、５  入力手段、６  表示手段、７  商用電源、８  電流ヒューズ、９  ドアスイッチ、１０  モニタースイッチ、１１  ヒーター、１２  高周波発生源、１３  冷却ファンモーター、１４  ランプ、１５  リレー、１６  リレー、１７  メインリレー、１８  リレー（電力開閉手段）、１９  電源回路、２０  制御手段、２１  マイコン、２１ａ  タイマー手段、２２  リレー駆動回路、２３  オートパワーオフ手段、２４  ドア開閉検知手段、２５  センサー回路、２６  リセット手段、２７  周波数判別手段、２８  不揮発性メモリー（使用履歴記憶手段、表示情報記憶手段）、２９  通信手段。
【図１】
2010181044.tif 000003
【図２】
2010181044.tif 000004
【図３】
2010181044.tif 000005
【図４】
2010181044.tif 000006
【図５】
2010181044.tif 000007
【図６】
2010181044.tif 000008